(57)【要約】【課題】使用済包帯を殺菌洗浄または洗濯した後に再利用するために、簡便に所定の巻き固さで巻いておくことが扱いやすいことから、比較的簡単な構成によって、包帯等の巻取りを容易かつ迅速に、しかもその巻取り固さを適宜調整でき、しかも容易に取出せるようにした巻取り装置を実現する。【解決手段】巻取られる包帯等の先端部を包帯等の幅方向から挿入し得る把持部を有するとともに回転駆動して巻取り動作時の巻き芯を構成する巻取り部と、巻取り部の上流側に配置され、巻取られる前に包帯等を伸す伸し部と、この伸し部に至る包帯等を伸し面に押圧する位置に配置され、包帯等の移動に制動を与える制動部とを有する包帯等の巻取り装置。【選択図】      図１
2007119212.tif 000002
【特許請求の範囲】
【請求項１】
基台に片持ち支持され、巻取られるべき包帯等の先端部を包帯等の幅方向から挿入し得る把持部を有するとともに回転駆動して巻取り動作時の巻き芯を構成する巻取り部と、この巻取り部の上流側に配置され、巻取られる前に包帯等を伸す伸し部と、この伸し部のさらに上流側であって、この伸し部に至る包帯等を伸し面側に押圧する位置に配置されて前記基台に片持ち支持され、包帯等の移動に対して制動を与える制動部とを有することを特徴とする包帯等の巻取り装置。
【請求項２】
前記制動部は、前記伸し部に至る包帯等を伸し面に押圧する位置に配置された第１スライドガイドと、その第１ライドガイドに至る包帯等をさらに事前に屈曲して案内する第２スライドガイドとを有することを特徴とする請求項１記載の包帯等の巻取り装置。
【発明の詳細な説明】
【技術分野】
【０００１】
この発明は、包帯等の巻取り装置に係り、特に、比較的簡単な構成によって、巻かれた状態で再使用するような包帯等を、容易かつ迅速に、しかもその巻取り固さを適宜調整できるように巻取ることができるようにしたものである。この明細書において包帯等とは、いわゆる包帯の他、包帯と同様の柔軟性および伸縮性を有するテープ状の帯体であって巻取り状態で保管、使用するものを包含するものである。
【背景技術】
【０００２】
一般に医療分野で使用される包帯は、使用後は廃棄されるのが通常であるが、その使用分野によっては、必要な殺菌洗浄後再利用できるものも少なくない。しかしながら、再利用に際しては、その包帯が巻かれた状態に保管されていないと使い勝手が悪いため、通常は看護士等が手作業によって巻取ることが行われているが、大量に処理することは困難であり、一方、自動化された巻取り装置は高価となるという不具合があった。
【０００３】
さらに、医療分野以外でも、例えば、ボクシングその他の格闘技における手指、拳の固定のために使用される包帯の場合は、手指、手の甲等に固く巻きつけるという性質上、可能な限り固く巻取ることが望まれ、使用者自らのトレーニングの一部としてそのような固い巻取りの手作業が課せられることが多いものの、必ずしも思うとおりの固さを得ることができず、またトレーニングジム等で多量の包帯が必要である場合には、全てを手作業で処理するのは困難である。
【０００４】
これらの課題を解決すべく部分的に改良した装置も発案されている（特許文献１および２参照）が、これらの装置では、巻取り操作の準備、すなわち巻取られるべき包帯等の先端部を装置の巻取り軸に装着する場合に、前者のものでは巻きつけ棒に単に数回巻きつけるというもので包帯等の先端部が充分に固定できず、次に行われる巻取り動作時にその先端が巻き取れない状態が発生するおそれがあり、また後者のものは包帯等の先端を、挿脱自在な二股の巻取り軸に挿入して把持し易くしているものの、巻取り軸の巻器への装着状態ではその挿入方向が包帯等の幅方向でなく長手方向となり、また同じく巻器への離脱状態では包帯を巻器の引っ掛け軸にセットした後でなければ、巻取り軸への先端部の挿入はできないために挿入操作が円滑でなく、準備作業が煩わしいものであった。
【特許文献１】実開昭６３−１６９５５６号公報（第４頁、第１図）
【特許文献２】特開２００１−５４５３７号公報（図３）
【発明の開示】
【発明が解決しようとする課題】
【０００５】
したがって、一旦使用された包帯を殺菌洗浄または洗濯した後に再利用する場合には、所定の巻き固さで巻いておくことがその再使用時に扱いやすいことから、比較的簡単な構成によって、包帯等の巻取りを容易かつ迅速に、しかもその巻取り固さを適宜調整できるようにした巻取り装置の実現が望まれている。
【課題を解決するための手段】
【０００６】
請求項１の発明は、基台に片持ち支持され、巻取られるべき包帯等の先端部を包帯等の幅方向から挿入し得る把持部を有するとともに、回転駆動して巻取り動作時の巻き芯を構成する巻取り部と、巻取り部の上流側に配置され、巻取られる前に包帯等を伸す伸し部と、この伸し部のさらに上流側に至る包帯等を伸し面側に押圧する位置に配置されて基台に片持ち支持され、包帯等の移動に対して制動を与える制動部とを有する包帯等の巻取り装置である。
【０００７】
また、請求項２の発明は、前記制動部は、前記伸し部に至る包帯等を伸し面に押圧する位置に配置された第１スライドガイドと、この第１スライドガイドに至る包帯等をさらに事前に屈曲して案内する第２スライドガイドとを有する請求項１記載の包帯等の巻取り装置である。
【発明の効果】
【０００８】
この請求項１の発明によれば、比較的簡単な構成によって、包帯等の先端部容易に固定でき、包帯等の巻取りを容易かつ迅速に、しかもその巻取り固さを適宜調整できるとともに、巻取り後の包帯等を容易に抜きだせる巻取り装置を提供することができることから、通常の包帯等の再使用や包帯等の装着の訓練用等に多量に再使用するのに便利である。さらには、その巻取り部の片持ち構造により、巻取る包帯等の挿入、取出しを支障なく円滑に行なうことができる。
【０００９】
また請求項２の発明によれば、巻取られる包帯等にライドガイドによって適正な制動が付与されることから、包帯等のしわが伸し部によって充分に伸されて、適正な巻固さの巻取りができる。
【発明を実施するための最良の形態】
【００１０】
以下に、各図を参照しながら、この発明の一実施例を説明する。
【００１１】
１は基台で、その起立部２（図２に図示）には駆動用モータ３がその駆動軸４を水平に位置して配置されている。このモータ３は、前記基台１のカバー５前面に配置された操作部６のスイッチ７によってオンオフ動作されるとともに、操作部６の速度ダイアル８によって、駆動軸４が図示しないギア列を介して任意の巻取り速度で回転できるように構成されている。
【００１２】
また基台１の起立部２に面するカバー５からは、駆動モータ３の駆動軸４に連結されて回転可能な回転基部９が突出し、この回転基部９には後述するような包帯等Ｔの巻き芯を構成する巻取り部１０が設置される。この巻取り部１０は、基台１に片持ち支持されるものであり、前記回転基部９に連結されて自らの軸心を回転中心とする巻き芯本体１１と、この巻き芯本体１１とともに巻き芯を構成し、巻き芯本体１１と近接して前記回転基部９に連結され、これと一体的に回転し得るように巻き芯本体１１に副うように配置された副え枠１２とで構成される。
【００１３】
この副え枠１２の先端部を巻き芯本体１１のそれよりも先端方向に突出しておくことにより、使用者が包帯の先端部をその幅方向に巻き芯本体１１と副え枠１２との間に挿入するときに、その副え枠１２の先端部を包帯挿入動作のガイドとして利用できるから、挿入操作をし易くすることができる。
【００１４】
この巻取り部１０は、好ましくは、巻き芯本体１１と副え枠１２とがその基端側では固定的に形成されるとともに、その軸方向に沿ってその間に後述する包帯等Ｔの幅方向に挿入された先端部を挟持し得る間隙ｇが形成され、そしてその巻取り部１０の少なくともその先端側では、副え枠１２が巻き芯本体１１に弾性的に当接するように構成される。
【００１５】
この実施例において、巻き芯本体１１には、外径が約６ｍｍのものを、また、副え枠１２には、外径が約４ｍｍの金属丸棒を採用したが、巻取り部１０の径が小さいほど、後述するように巻取り終了後取出したあとの中心部の緩みが少なく、固い巻取りを維持できる。
【００１６】
そして、前述したように、包帯等Ｔの先端部をその幅方向に巻取り部１０の巻き芯本体１１と副え枠１２との間に挿入すると、包帯等Ｔの先端部がその間に弾性的に挟持されるものである。
【００１７】
また、巻取り部１０の巻き芯本体１１と副え枠１２とをその中心部に挿通してその基端部側に前記回転基部９に近接して配置される回転側板１３を有し、この回転側板１３は、包帯の巻取り時の側面をガイドするとともに巻取り終了後、その包帯を巻取り部１０から抜き取るときの押圧板として作用する。
【００１８】
この場合、回転側板１３を２枚重ねて配置しておき、カバー５側の回転側板１３は固定しておき、手前側の回転側板１３を包帯等Ｔ抜き取り用の押圧板として移動できるようにしてもよい。
【００１９】
さらに基台１のカバー５には、前記回転側板１３から径方向に離れて、前記巻取り部１０の手前側、すなわち包帯Ｔ進行の移動方向上流に位置して、巻取り部１０とほぼ同一の高さに、これと平行する伸し部２０が片持ち支持されるとともに、その端部を補助的な支柱２１で支持して設置される。この伸し部２０は、その上面に緩い凸面を有する伸し板２２が形成されており、巻取り部１０に巻き取れられていく包帯等Ｔの直前の部位が伸し板２２に強く当接されながら移動するようにされ、包帯等Ｔの特に長手方向に沿って形成されているしわが伸されるようになっている。なお、好ましくはこの伸し部２０には加熱用ヒータを内蔵することができる。
【００２０】
また、伸し部２０のさらに手前側、すなわち包帯等Ｔの巻取り方向の上流側に位置して、前記基台１の側面に前記巻取り部１０と平行して配置され、相互にほぼ上下方向に離間して配置された１対の円柱状のスライドガイド２３、２４からなる制動ガイド部２５が、基台１に片持ち支持して設けられる。そしてその上方のスライドガイド２３は、包帯等Ｔが前記伸し部２０の伸し板２２面に向かって上方に指向される位置に配置され、その下方のスライドガイド２４には、図示されているように、基台１の側方から見て巻取られる包帯等Ｔがスライドガイド２３からＳ字状に掛渡されるようになっている。
【００２１】
すなわち、この発明の装置の使用者が、巻取られるべき包帯等Ｔを両手指で把持しながら、巻取られつつ進行する包帯等Ｔに所定の張力を与えるようにスライドガイドによっても制動を加えながら手指間を滑らせて巻取り操作ができるように構成されている。
【００２２】
以上のように構成されたこの発明の巻取り装置の作用について説明すると、概略的には、使用者が巻取られるべき包帯等を把持した状態で、その先端部をその幅方向から巻取り部の把持部に挿入し、巻取り部を数回転回転することによって包帯等の先端部が一時的に巻取り把持される。この状態で包帯等の先端部から続く部位を、伸し部、制動部を介して、包帯等を手指で保持した状態で、巻取り部を回転駆動することにより、包帯等は伸し部によってそのしわを伸されながら巻取られるものである。
【００２３】
そして、包帯等に、包帯等に一定の張力が付与されることによって、第１および第２スライドガイドにより適切な制動が付与されるから、包帯等は伸し部によってそのしわを伸され、かつ巻取り部に適当な巻取り固さで巻取られるものである。
【００２４】
以下に、より詳細に説明すると、使用者はまず、装置のスイッチ７をオフにし、速度ダイアル８を最低速度に位置した状態で、先ず使用者は、巻取りを必要としている、巻かれていないか、または緩く巻かれている状態の包帯等Ｔを用意し、その先端部をその幅方向から巻取り部１０の先端側の、巻き芯本体１１と副え枠１２との間の間隙ｇに挿入して包帯Ｔの先端部を巻取り部１０によって一時的に保持する。
【００２５】
この状態でスイッチ７をオンにすると駆動モータ３が低速度で回転して巻取り部１０に包帯Ｔの先端部が数回巻取られる。このように包帯Ｔの先端部が巻取り部１０に一時的に仮保持された状態で、包帯Ｔの先端部から続く部位を、伸し部２０の伸し板２２面の上側、そしてスライドガイド２３の上側およびガイド２４の下側にＳ字状に添わせるように挿通しておく。そして、使用者が包帯Ｔを手指で把持して適切な張力を掛けることによって、その包帯等Ｔの数回の巻取られた先端部によって副え枠１２を巻き芯本体１１に締めつける結果となり、包帯Ｔの先端部は巻取り部１０に確実に保持される。
【００２６】
この状態で、速度ダイアル８を高速側に回動操作すると、巻取りが開始され、使用者が、把持している包帯Ｔを引っ張りながら制動することにより、包帯等Ｔはさらにスライドガイド２３、２４の表面をスライドすることによって制動され、適度の張力が付与されて、その結果、包帯Ｔが伸し板２１面に押圧される。したがって、包帯Ｔは、そのしわを伸されつつ、回転円板８によってその側縁位置を案内されて整列されながら、巻取り部１０に所要の固さで巻取られていく。
【００２７】
このようにして、全長が巻取られた後は、回転側板１３を軸方向に引き抜くことによってその巻取られた包帯等Ｔを押圧して、巻取り部１０の間隙ｇに位置する包帯Ｔ先端部も幅方向に移動し引抜かれて、簡単に取外すことができる。
【００２８】
巻取り操作の場合、包帯Ｔの移動速度は、実験的には毎秒２０〜８０センチ程度が扱いやすく、好ましくは５０〜６０センチが円滑である。
【００２９】
また、巻取り固さの調節は、巻取り時の包帯Ｔに対する張力の与え方によるものであって、使用者が包帯Ｔを把持して手指とともにスライドガイドで制動することによって任意に調整できるものである。
【００３０】
包帯Ｔの巻取り固さについて説明すると、医療用の場合には患部を含む施療部位に対して適度な柔軟性をもって巻きつけることが必要であるため、通常のガーゼ包帯で１センチ厚当り３０層程度が一般的であるが、ボクシングその他の格闘技における拳等の固定のための包帯の場合は、可能なかぎり固い巻取りが好ましく、例えば、１センチ厚当り６０層程度が要求される。
【００３１】
この発明の他の実施例について説明すると、まず第１および第２スライドガイド２３、２４は、包帯Ｔが巻き取られる方向に進行する場合に、包帯Ｔがその幅方向の両端側に向かってスライドガイド上を移動する傾向を有するように、いずれもその端部から中腹部が順次膨大するような緩やかな鼓形状に形成することもできる。
【００３２】
また、巻取り部１０は、その基端側から先端側に向けて緩やかなテーパーを有する先細り形状に構成することにより、巻取られた包帯Ｔを巻取り部１０から引き抜き易くすることができる。
【００３３】
さらに、巻取られた包帯Ｔを引き抜く場合に、相当に固く巻き取られたときにはその中心部が巻き芯本体１１に強固に巻き付いているために円滑に引き抜くことができず、中心部が軸方向にとり残された状態で引き抜かれると、巻が崩れてしまうおそれが想定されることから、巻き芯本体１１および副え枠１２を２重に構成するカバー巻き芯とすることができる。このカバー巻き芯は、それぞれその軸方向に１対のスリットを形成したカバーとしてあり、それぞれ巻き芯本体１１および副え枠１２にその軸方向から挿脱可能に嵌め込まれるように形成される。
【００３４】
したがって、カバー巻き芯を装着した状態で、前述したように包帯Ｔの巻取り後、包帯Ｔを直接軸方向に引き抜くか、回転側板１３とともに軸方向に引抜くことによってカバー巻き芯もそれぞれ巻き芯本体１１および副え枠１２から軸方向に引き抜かれる。この状態で、引き抜かれた包帯Ｔの中心部に取り込まれているカバー巻き芯は、その巻取られた包帯等Ｔから簡単に取外すことができ、再利用される。
【００３５】
また、巻取り部１０は、巻き芯本体１１と副え枠１２とで構成したが、巻取り部１０を相互に近接する３本の同一径の巻き芯本体部材のみで構成し、この３本の巻き芯本体部材を回転基部９にその回転軸を中心点とする正三角形の各頂点に位置するように植設して側方に突出し、その先端部は相互に接触するように構成することができる。それによって、使用者が包帯Ｔの先端部を巻き芯本体部材の間に幅方向に挿入して、数回の巻回によって先ずはその先端部を一時的に巻取り固定し、その後通常に安定して巻取りを実行することができる。
【００３６】
なお、このように３本の巻き芯本体部材で構成する場合にも、３本のうち、１本の先端側を他よりも突出しておくことにより、包帯Ｔの先端部を挿入し易くすることができる。
【００３７】
また、前記副え枠１２は、巻き芯本体１１の少なくとも先端部に、軸方向に沿ってその外周に断面半円状の凹溝を形成することによって、その凹溝にその一部が嵌り込むように配置することによって、包帯Ｔの巻取り時に、包帯Ｔの巻取り圧力によって副え枠１２が巻き芯本体１１に対して捻れることを防止することができる。
【００３８】
さらに、巻取られた包帯Ｔを引き抜き易くすることを意図して、巻き芯本体を１本の堅固な金属棒で構成し、この金属棒の長手方向先端からスリットを形成するとともにこのスリット内にスリットの分離状態を持たせたまま摩擦保持力を有するゴムのような弾性体または板ばねを配置して、包帯等Ｔを幅方向に挿入したときに仮止めでき、巻取り終了後もそのスリット形状にほとんど変形がないものを選択することによって、巻き取られた包帯等Ｔを比較的容易に抜き取ることができるようにすることが可能である。
【００３９】
また、前記実施例における伸し部２０は、伸し板２２と補助的な支柱２１で構成したが、前記スライドガイド２３を伸し部２０に代えてその位置に配置することによって伸し部とすることも可能であり、伸し板２２は利用できないが、スライドガイド２３が伸し面を構成することができ、スライドガイド２４のみを制動用に用いることによって、全体の構成として簡素化できる。
【００４０】
さらに、前述の実施例では、オンオフスイッチ７と速度ダイアル８とを図２の正面図において、それぞれ左、右に配置したが、使用者によっては操作上逆の配置が好ましい場合はそのような配置にすることも可能である。
【００４１】
また、両者を別個に設置したが、一体的に、すなわち速度ダイアル８にオンオフスイッチを組込んで、スイッチ付ボリュームのように速度０位置における回動でオンオフスイッチを機能し、その後の回動で速度の増減を機能するようにすることによって、構成および操作性を簡素化および簡便化することができる。
【００４２】
さらにまた、オンオフスイッチ７の操作後、速度ダイアル８の回動で回転速度が最低速度から高速に移行可能な構成にすることによって、包帯Ｔの先端部保持のための一時的な巻取りから、所望の巻取り固さを有する本来の巻取りまでを円滑に操作することができる。
【００４３】
さらには、低速の逆回転を制御する逆転ダイアルを並置することにより、特に初期の包帯Ｔの先端部を数回巻き取った後になんらかの理由で巻戻す必要が生じたときに、この逆転スイッチを操作することによって簡単に巻戻すことができるようにすることも可能である。
【００４４】
また、全体の配置として、図示の実施例では、操作部６側を基台１の左側に位置したが、利き手の使い勝手によっては、貴台の右側に配置することも可能である。
【図面の簡単な説明】
【００４５】
【図１】この発明の一実施例を示す斜視図。
【図２】同じく正面図。
【図３】同じく側面図。
【符号の説明】
【００４６】
１・・・基台、２・・・起立部、３・・・駆動用モータ、４・・・駆動軸、５・・・カバー、６・・・操作部、７・・・スイッチ、８・・・速度ダイアル、９・・・回転基部、１０・・・巻取り部、１１・・・巻き芯本体、１２・・・副え枠、ｇ・・・間隙、１３・・・回転側板、２０・・・伸し部、２１・・・支柱、２２・・・伸し板、２３・・・第１スライドガイド、２４・・・第２スライドガイド、２５・・・制動ガイド部
【図１】
2007119212.tif 000003
【図２】
2007119212.tif 000004
【図３】
2007119212.tif 000005